(57)【要約】【課題】歪曲した電線の曲率を容易に矯正できる間接活線工事用工具を提供する。【解決手段】工具１０は、絶縁操作棒７０の先端部に設けた一対の把持腕７ａ・７ｂに着脱可能に取り付けできる一組のアダプタ１１・１２で構成し、一組のアダプタ本体１・２、一対一組の円弧体３・３、一対一組のクランクアーム４ａ・４ｂ、及び一対の引張りコイルばね５・５を備える。アダプタ本体１・２は、把持爪７１ａ・７１ｂが挿入可能な凹部１１ｈ・２１ｈを底面に開口すると共に、把持腕７ａ・７ｂの一方の側面に当接可能な鍔片１１ｆ・２１ｆを有する。円弧体３は、一組のアダプタ１１・１２の間に導入された電線Ｗｅの外周に当接するボール３ｂを有する。複数のボール３ｂで電線Ｗｅを略均等に押圧し、複数のボール３ｂを電線Ｗｅに転動させながら、絶縁操作棒７０を電線Ｗｅに沿って移動することで、電線Ｗｅを容易に矯正できる。【選択図】図１
2015042037.tif 000002
【特許請求の範囲】
【請求項１】
絶縁操作棒の先端部に設けた一対の開閉する湾曲した把持腕に着脱可能に取り付けでき、一対の前記把持腕の内部に導入された電線をその外周から略均等に押圧すると共に、前記電線の延びる方向に移動することで、前記電線を矯正可能な一組のアダプタで構成した間接活線工事用工具であって、
前記把持腕から遠心方向に突出する把持爪が挿入可能な凹部を底面に開口すると共に、前記把持腕の一方の側面に当接可能な鍔片を有するブロック状のアダプタ本体と、
このアダプタ本体に取り付け、前記把持爪の把持面と反対面から当該把持爪を固定する係止手段と、
前記電線の外周に当接可能なボールの一部を前記電線の外周に対向する内径面から突出し、当該ボールを回転自在に保持すると共に、前記電線の外周を囲う仮想の内周を形成するように、一対の前記把持腕の内部に配置された一対の円弧体と、
一片を前記円弧体に固定し、他片の先端部を前記鍔片に回動自在に連結し、前記ボールが前記電線の中心部に向かって進出、又は前記ボールが前記電線から後退するように、前記円弧体を揺動可能に支持する一対のクランクアームと、
両端部が一対の前記クランクアームに係止し、前記電線の外周を囲う仮想の内周が縮径するように、一対の前記クランクアームの一片が互いに近づく力を付勢する付勢手段と、を備える間接活線工事用工具。
【請求項２】
一対の前記円弧体は、それらの外径面が一対の前記把持腕の内壁と所定の間隙を設けて配置されている請求項１記載の間接活線工事用工具。
【請求項３】
前記付勢手段が引張りコイルばねからなる請求項１又は２記載の間接活線工事用工具。
【発明の詳細な説明】
【技術分野】
【０００１】
本発明は、間接活線工事用工具に関する。特に、絶縁操作棒などの間接活線工具の先端部に設けた一対の開閉する湾曲した把持腕に一組のアダプタを取り付け、歪曲した電線の曲率を一組のアダプタで矯正する間接活線工事用工具の構造に関する。
【背景技術】
【０００２】
例えば、電柱に架設された架空配電線は、絶縁カバーで覆われた引留クランプで分岐され、開閉器などの柱上電気機器に接続している。そして、引留クランプと柱上電気機器の間に接続された電線（いわゆる縁線）は、所定の曲率で湾曲するように、配設されている。
【０００３】
上述した縁線は、通電しているため、他の電線、腕金、又は支持金具などに接触しないように、所定の離間距離を設けて配設されている。しかし、風雨に晒される環境の影響で、長期的には、新設時とは異なった曲率で縁線が歪曲し、他の電線、腕金、又は支持金具などに接触する心配があった。このため、歪曲した縁線の曲率を初期の状態に矯正することを実施していた。いわゆる、電線のくせ直しを実施していた。
【０００４】
上述したような、歪曲した縁線の曲率を矯正するために、電線ベンダー装置と呼ばれる、油圧式の矯正装置が使用されていた。しかしながら、油圧式の電線ベンダー装置は、油圧源を必要としている。又、油圧式の電線ベンダー装置は高所作業車に設けたバケットに搭乗して作業する必要があった。これらの理由から、油圧式の電線ベンダー装置は、その使用が制約されていた。
【０００５】
上述した不具合を解消するため、用途の異なる先端工具を共用可能な絶縁操作棒（いわゆる、共用操作棒）の先端部に着脱自在な菊座部を有する電線ベンダーであって、同一方向に突出する四つの円柱状の突起を十字状に交差するアームの先端部に固定し、これらの突起の外周には、電線の外周が部分的に当接可能な円弧状の輪帯溝を形成し、一組の突起の間に電線を掛け渡し、電線を引き寄せるように、絶縁操作棒を操作した状態を維持しながら、電線に沿って縁操作棒を移動することで、電線を矯正する電線ベンダーが開示されている（例えば、特許文献１参照）。
【０００６】
又、歪曲した縁線の曲率を矯正するために、一対の開閉する把持腕を先端部に設けた絶縁操作棒（いわゆる絶縁ヤットコ）に、電線の外周が転動可能な一組のローラピンを配置した間接活線工事用工具が開示されている（例えば、特許文献２参照）。
【先行技術文献】
【特許文献】
【０００７】
【特許文献１】実開平３−３１１２号公報
【特許文献１】特開２０１２−２２２９８５号公報
【発明の概要】
【発明が解決しようとする課題】
【０００８】
図９は、特許文献１に類似した、従来技術による電線ベンダーの斜視図である。図９を参照すると、電柱Ｐは、腕金Ａを上部に支持している。腕金Ａは、ピン碍子Ｐｉを固定している。架空配電線（以下、電線と略称する）Ｗは、バインド線Ｂを介して、ピン碍子Ｐｉに支持されている。
【０００９】
図９を参照すると、ピン碍子Ｐｉの近傍には、絶縁カバーで覆われた引留クランプＣを配置している。引留クランプＣは、その内部で電線Ｗと分岐接続した縁線（以下、電線という）Ｗｅを延出している。電線Ｗｅの端末は、図示しない開閉器などの柱上電気機器に接続している。
【００１０】
図９を参照すると、電線ベンダー８は、正四角形状のプレート部材からなる本体８１と菊座部８２で構成している。菊座部８２は、本体８１の基端部側に突出している。菊座部８２は、共用操作棒８０の先端部に取り付けている。菊座部８２は、共用操作棒８０が延びる方向と所定の傾斜角度を設けて、固定できる。
【００１１】
図９を参照すると、本体８１は、四つのローラ８１ｒを備えている。これらのローラ８１ｒは、本体８１の四隅に取り付けている。四つのローラ８１ｒは、それらの回転中心が十字状に交差する線上に位置するように配置されている。又、電線Ｗｅの外周が部分的に当接可能な円弧状の溝部を外周に形成している。
【００１２】
図９を参照して、一組のローラ８１ｒ・８１ｒの間に電線Ｗｅを掛け渡し、電線Ｗｅを引き寄せるように、共用操作棒８０を操作した状態を維持しながら、電線Ｗｅに沿って共用操作棒８０を移動することで、電線Ｗｅを矯正できる。
【００１３】
しかしながら、従来技術による電線ベンダー８は、共用操作棒８０を操作する作業者が電線Ｗｅを引き寄せた状態を維持しながら、電線Ｗｅに沿って共用操作棒８０を移動するので、矯正操作が容易でないという問題がある。歪曲した電線の曲率を矯正するために、矯正操作が容易な間接活線工事用工具が求められている。
【００１４】
図１０は、特許文献２に開示された、従来技術による間接活線工事用工具の要部を拡大した斜視図である。本願の図１０は、特許文献２の図５に相当している。
【００１５】
図１０を参照すると、間接活線工具となる把持工具を有する絶縁操作棒（いわゆる、絶縁ヤットコ）９０は、長尺の操作棒９１と把持工具９２で構成している。把持工具９２は、操作棒９１の先端部に着脱自在に取り付けられている。又、絶縁操作棒９０は、作動棒９３を備えている。
【００１６】
図１０を参照すると、把持工具９２は、開閉する一対の湾曲した把持腕９ａ・９ｂで構成している。そして、一方の把持腕９ａは、基端部が固定された固定腕であり、他方の把持腕９ｂは、一方の把持腕９ａの基端部に設けた回動軸９ｃを中心に回動する可動腕となっている。
【００１７】
図１０を参照すると、作動棒９３は、操作棒９１に沿って保持されている。作動棒９３の先端部は、他方の把持腕９ｂに回動可能に連結している。そして、作動棒９３の手許部に設けた図示しない操作レバーを操作すると、一方の把持腕９ａに対して、他方の把持腕９ｂを開閉できる。
【００１８】
図１０を参照すると、絶縁操作棒９０は、一組のスナップフィット式のローラピン９１ｒ・９３ｒを備えている。これらのローラピン９１ｒ・９３ｒは、電線Ｗｅの外周が転動可能な円筒状のローラＲを外周に取り付けている。一方のローラピン９１ｒは、その中心軸を回動軸９ｃの近傍に固定している。他方のローラピン９３ｒは、その中心軸を作動棒９３の先端部側に固定している。
【００１９】
図１０を参照して、特許文献２による絶縁操作棒９０は、一組のローラピン９１ｒ・９３ｒの間に、鉛直方向に延びる電線Ｗｅを掛け渡し、絶縁操作棒９０の自重を電線Ｗｅに付与しながら、絶縁操作棒９０を上下に移動することで縁電Ｗｅを矯正できる、としている。
【００２０】
又、特許文献２による絶縁操作棒９０は、水平方向に延びる電線Ｗｅに一方のローラピン９１ｒを係止し、絶縁操作棒９０の自重を電線Ｗｅに付与しながら、絶縁操作棒９０を左右に移動することで電線Ｗｅを矯正できる、としている。
【００２１】
しかしながら、特許文献２による絶縁操作棒９０は、鉛直方向と水平方向以外に延びる電線Ｗｅに対しては、その矯正が容易でないという問題がある。いずれの方向に延びる縁電に対して、その矯正が容易な間接活線工事用工具が求められている。そして、以上のことが本発明の課題といってよい。
【００２２】
本発明は、このような課題に鑑みてなされたものであり、絶縁操作棒などの間接活線工具の先端部に設けた一対の開閉する湾曲した把持腕に取り付けでき、歪曲した電線の曲率を容易に矯正できる間接活線工事用工具を提供することを目的とする。
【課題を解決するための手段】
【００２３】
本発明者は、一組のアダプタを絶縁操作棒の先端部に設けた一対の湾曲した把持腕に取り付け、一対の把持腕を最大に開いたときは、これらのアダプタの間に電線をその外周方向から導入でき、一対の把持腕を所定の開角に閉じたときは、内部に導入された電線をその外周方向から略均等に押圧する複数のボールをこれらのアダプタに設け、複数のボールを転動させながら、絶縁操作棒を電線に沿って移動することで、電線を容易に矯正できることを見出し、これに基づいて、以下のような新たな間接活線工事用アダプタを発明するに至った。
【００２４】
（１）本発明による間接活線工事用工具は、絶縁操作棒の先端部に設けた一対の開閉する湾曲した把持腕に着脱可能に取り付けでき、一対の前記把持腕の内部に導入された電線をその外周から略均等に押圧すると共に、前記電線の延びる方向に移動することで、前記電線を矯正可能な一組のアダプタで構成した間接活線工事用工具であって、前記把持腕から遠心方向に突出する把持爪が挿入可能な凹部を底面に開口すると共に、前記把持腕の一方の側面に当接可能な鍔片を有するブロック状のアダプタ本体と、このアダプタ本体に取り付け、前記把持爪の把持面と反対面から当該把持爪を固定する係止手段と、前記電線の外周に当接可能なボールの一部を前記電線の外周に対向する内径面から突出し、当該ボールを回転自在に保持すると共に、前記電線の外周を囲う仮想の内周を形成するように、一対の前記把持腕の内部に配置された一対の円弧体と、一片を前記円弧体に固定し、他片の先端部を前記鍔片に回動自在に連結し、前記ボールが前記電線の中心部に向かって進出、又は前記ボールが前記電線から後退するように、前記円弧体を揺動可能に支持する一対のクランクアームと、両端部が一対の前記クランクアームに係止し、前記電線の外周を囲う仮想の内周が縮径するように、一対の前記クランクアームの一片が互いに近づく力を付勢する付勢手段と、を備える。
【００２５】
（２）一対の前記円弧体は、それらの外径面が一対の前記把持腕の内壁と所定の間隙を設けて配置されていることが好ましい。
【００２６】
（３）前記付勢手段が引張りコイルばねからなってもよい。
【発明の効果】
【００２７】
本発明による間接活線工事用工具は、一組のアダプタを絶縁操作棒の先端部に設けた一対の湾曲した把持腕に取り付け、一対の把持腕を最大に開いたときは、一組のアダプタの間に電線をその外周方向から導入でき、一対の把持腕を所定の開角に閉じたときは、内部に導入された電線をその外周方向から略均等に押圧する複数のボールをこれらのアダプタに設け、複数のボールを転動させながら、絶縁操作棒を電線に沿って移動することで、電線を容易に矯正できる。
【図面の簡単な説明】
【００２８】
【図１】本発明の一実施形態による間接活線工事用工具の構成を示す正面図であり、一対の把持腕に一組のアダプタを取り付けた状態で、一対の把持腕を最も開いた状態から所定角度、閉じた状態図である。
【図２】前記実施形態による間接活線工事用工具に備わる一方のアダプタの構成を示す図であり、図２（Ａ）は、一方のアダプタの正面図、図２（Ｂ）は、図２（Ａ）の平面図、図２（Ｃ）は、図２（Ａ）の左側面図、図２（Ｄ）は、図２（Ｃ）のＡ−Ａ矢視断面図である。
【図３】前記実施形態による間接活線工事用工具に備わる他方のアダプタの構成を示す図であり、図３（Ａ）は、他方のアダプタの正面図、図３（Ｂ）は、図３（Ａ）の平面図、図３（Ｃ）は、図３（Ａ）の右側面図、図３（Ｄ）は、図３（Ｃ）のＡ−Ａ矢視断面図である。
【図４】前記実施形態による間接活線工事用工具に備わる一方のアダプタ本体の構成を示す図であり、図４（Ａ）は、一方のアダプタ本体の正面図、図４（Ｂ）は、図４（Ａ）の平面図、図４（Ｃ）は、図４（Ａ）の右側面図、図４（Ｄ）は、図４（Ａ）の左側面図、図４（Ｅ）は、図４（Ａ）の下面図、図４（Ｆ）は、図４（Ａ）の背面図、図４（Ｇ）は、図４（Ｃ）のＡ−Ａ矢視断面図である。
【図５】前記実施形態による間接活線工事用工具に備わる他方のアダプタ本体の構成を示す図であり、図５（Ａ）は、一方のアダプタ本体の正面図、図５（Ｂ）は、図５（Ａ）の平面図、図５（Ｃ）は、図５（Ａ）の左側面図、図５（Ｄ）は、図５（Ａ）の右側面図、図５（Ｅ）は、図５（Ａ）の下面図、図５（Ｆ）は、図５（Ａ）の背面図、図５（Ｇ）は、図５（Ｃ）のＡ−Ａ矢視断面図である。
【図６】本発明に係る絶縁操作棒の一例を示す正面図であり、図６（Ａ）は、絶縁操作棒の基端部側を示し、図６（Ｂ）は、絶縁操作棒の先端部側を示している。
【図７】図６に示した絶縁操作棒の先端部を拡大した正面図である。
【図８】前記実施形態による間接活線工事用工具の構成を示す正面図であり、一対の把持腕に一組のアダプタを取り付けた状態で、一対の把持腕を最も開いた状態図である。
【図９】従来技術による電線ベンダーの斜視図である。
【図１０】従来技術による間接活線工事用工具の要部を拡大した斜視図である。
【発明を実施するための形態】
【００２９】
以下、図面を参照して本発明を実施するための形態を説明する。
［間接活線工事用工具の構成］
最初に、本発明の一実施形態による間接活線工事用工具の構成を説明する。
【００３０】
図１は、発明の一実施形態による間接活線工事用工具の構成を示す正面図であり、一対の把持腕に一組のアダプタを取り付けた状態で、一対の把持腕を最も開いた状態から所定角度、閉じた状態図である。
【００３１】
図２は、前記実施形態による間接活線工事用工具に備わる一方のアダプタの構成を示す図であり、図２（Ａ）は、一方のアダプタの正面図、図２（Ｂ）は、図２（Ａ）の平面図、図２（Ｃ）は、図２（Ａ）の左側面図、図２（Ｄ）は、図２（Ｃ）のＡ−Ａ矢視断面図である。
【００３２】
図３は、前記実施形態による間接活線工事用工具に備わる他方のアダプタの構成を示す図であり、図３（Ａ）は、他方のアダプタの正面図、図３（Ｂ）は、図３（Ａ）の平面図、図３（Ｃ）は、図３（Ａ）の右側面図、図３（Ｄ）は、図３（Ｃ）のＡ−Ａ矢視断面図である。
【００３３】
図４は、前記実施形態による間接活線工事用工具に備わる一方のアダプタ本体の構成を示す図であり、図４（Ａ）は、一方のアダプタ本体の正面図、図４（Ｂ）は、図４（Ａ）の平面図、図４（Ｃ）は、図４（Ａ）の右側面図、図４（Ｄ）は、図４（Ａ）の左側面図、図４（Ｅ）は、図４（Ａ）の下面図、図４（Ｆ）は、図４（Ａ）の背面図、図４（Ｇ）は、図４（Ｃ）のＡ−Ａ矢視断面図である。
【００３４】
図５は、前記実施形態による間接活線工事用工具に備わる他方のアダプタ本体の構成を示す図であり、図５（Ａ）は、一方のアダプタ本体の正面図、図５（Ｂ）は、図５（Ａ）の平面図、図５（Ｃ）は、図５（Ａ）の左側面図、図５（Ｄ）は、図５（Ａ）の右側面図、図５（Ｅ）は、図５（Ａ）の下面図、図５（Ｆ）は、図５（Ａ）の背面図、図５（Ｇ）は、図５（Ｃ）のＡ−Ａ矢視断面図である。
【００３５】
（全体構成）
図１から図３を参照すると、本発明の一実施形態による間接活線工事用工具（以下、工具と略称する）１０は、一組のアダプタ１１．１２で構成している。アダプタ１１は、一方の把持腕７ａに着脱可能に取り付けできる。アダプタ１２は、他方の把持腕７ｂに着脱可能に取り付けできる。一組のアダプタ１１．１２は、一対の把持腕７ａ・７ｂの内部に導入された電線Ｗｅをその外周から略均等に押圧できる。
【００３６】
図１又は図２及び図４を参照すると、アダプタ１１は、ブロック状のアダプタ本体１と係止手段となる固定ねじ１ｓを備えている。又、アダプタ１１は、一対の円弧体３・３、一対のクランクアーム４ａ・４ｂ、及び付勢手段となる引張りコイルばね５を備えている。
【００３７】
図１又は図３及び図５を参照すると、アダプタ１２は、ブロック状のアダプタ本体２と係止手段となる固定ねじ２ｓを備えている。又、アダプタ１２は、一対の円弧体３・３、一対のクランクアーム４ａ・４ｂ、及び付勢手段となる引張りコイルばね５を備えている。なお、固定ねじ１ｓと固定ねじ２ｓは同じものであるが、説明の便宜上、符号を変えて区別した。
【００３８】
図１又は図２及び図４を参照すると、アダプタ本体１は、凹部１１ｈを底面に開口している。凹部１１ｈには、把持腕７ａから遠心方向に突出する把持爪７１ａを挿入できる。又、アダプタ本体１は、板状の鍔片１１ｆを突出している。鍔片１１ｆは、把持腕７ａの一方の側面に当接できる。
【００３９】
図１又は図３及び図５を参照すると、アダプタ本体２は、凹部２１ｈを底面に開口している。凹部２１ｈには、把持腕７ｂから遠心方向に突出する把持爪７１ｂを挿入できる。又、アダプタ本体２は、板状の鍔片２１ｆを突出している。鍔片２１ｆは、把持腕７ｂの一方の側面に当接できる。鍔片１１ｆと鍔片２１ｆは、それらの外面が同じ向きに配置されている。
【００４０】
図１又は図２を参照すると、固定ねじ１ｓは、アダプタ本体１に取り付けている。固定ねじ１ｓは、アダプタ本体１に形成されたねじ穴１１ｓに螺合している（図４参照）。固定ねじ１ｓを一方の方向に回転すると、把持爪７１ａの把持面７０ａと反対面から、アダプタ本体１を把持爪７１ａに固定できる（図７参照）。固定ねじ１ｓを他方の方向に回転すると、把持爪７１ａを凹部１１ｈから離脱できる（図４参照）。
【００４１】
図１又は図３を参照すると、固定ねじ２ｓは、アダプタ本体２に取り付けている。固定ねじ２ｓは、アダプタ本体２に形成されたねじ穴２１ｓに螺合している（図５参照）。固定ねじ２ｓを一方の方向に回転すると、把持爪７１ｂの把持面７０ｂと反対面から、アダプタ本体２を把持爪７１ｂに固定できる（図７参照）。固定ねじ２ｓを他方の方向に回転すると、把持爪７１ｂを凹部２１ｈから離脱できる（図４参照）。
【００４２】
図１又は図２を参照すると、円弧体３は、ボール３ｂを回転自在に保持している。円弧体３は、電線Ｗｅの外周に対向する内径面からボール３ｂの一部を突出している（図２（Ｄ）参照）。そして、ボール３ｂは、その一部を電線Ｗｅの外周に当接できる。一対の円弧体３・３は、電線Ｗｅの外周の略半分を囲う仮想の半内周を形成するように、把持腕７ａの内部に配置されている（図１参照）。
【００４３】
図１又は図３を参照すると、円弧体３は、ボール３ｂを回転自在に保持している。円弧体３は、電線Ｗｅの外周に対向する内径面からボール３ｂの一部を突出している（図３（Ｄ）参照）。そして、ボール３ｂは、その一部を電線Ｗｅの外周に当接できる。一対の円弧体３・３は、電線Ｗｅの外周の略半分を囲う仮想の半内周を形成するように、把持腕７ｂの内部に配置されている（図１参照）。
【００４４】
図１又は図２を参照すると、アダプタ本体１側に配置したクランクアーム４ａは、その一片４１ａを円弧体３の側面に固定している。又、アダプタ本体１側に配置したクランクアーム４ａは、その他片４２ａの先端部を鍔片１１ｆに回動自在に連結している。他片４２ａの先端部は、止めねじ４ｓで鍔片１１ｆに回動自在に固定されている。
【００４５】
同様に、図１又は図２を参照すると、アダプタ本体１側に配置したクランクアーム４ｂは、その一片４１ｂを円弧体３の側面に固定している。又、アダプタ本体１側に配置したクランクアーム４ｂは、その他片４２ｂの先端部を鍔片１１ｆに回動自在に連結している。他片４２ｂの先端部は、止めねじ４ｓで鍔片１１ｆに回動自在に固定されている。
【００４６】
図１又は図３を参照すると、アダプタ本体２側に配置したクランクアーム４ａは、その一片４１ａを円弧体３の側面に固定している。又、アダプタ本体２側に配置したクランクアーム４ａは、その他片４２ａの先端部を鍔片２１ｆに回動自在に連結している。他片４２ａの先端部は、止めねじ４ｓで鍔片２１ｆに回動自在に固定されている。
【００４７】
同様に、図１又は図３を参照すると、アダプタ本体２側に配置したクランクアーム４ｂは、その一片４１ｂを円弧体３の側面に固定している。又、アダプタ本体２側に配置したクランクアーム４ｂは、その他片４２ｂの先端部を鍔片２１ｆに回動自在に連結している。他片４２ｂの先端部は、止めねじ４ｓで鍔片２１ｆに回動自在に固定されている。
【００４８】
図１から図３を参照すると、一対一組のクランクアーム４ａ・４ｂは、ボール３ｂが電線Ｗｅの中心部に向かって進出、又は電線Ｗｅから後退するように、四つ円弧体３を揺動可能に支持している。
【００４９】
図１から図３を参照すると、引張りコイルばね５は、その両端部が一対のクランクアーム４ａ・４ｂの中間部に係止している。引張りコイルばね５は、電線Ｗｅの外周を囲う仮想の内周が縮径するように、一対のクランクアーム４ａ・４ｂの一片４１ａ・４１ｂが互いに近づく力を付勢している。
【００５０】
（絶縁操作棒の構成）
次に、本発明に係る絶縁操作棒の構成を説明する。図６は、本発明に係る絶縁操作棒の一例を示す正面図であり、図６（Ａ）は、絶縁操作棒の基端部側を示し、図６（Ｂ）は、絶縁操作棒の先端部側を示している。図７は、図６に示した絶縁操作棒の先端部を拡大した正面図である。
【００５１】
図６又は図７を参照すると、間接活線工具となる絶縁操作棒（いわゆる、絶縁ヤットコ）７０は、長尺の操作棒７１と把持工具７２で構成している。把持工具７２は、操作棒７１の先端部に着脱自在に取り付けられている。又、絶縁操作棒７０は、作動棒７３を備えている。絶縁操作棒７０は、操作棒７１及び作動棒７３の中間部が絶縁性を有するプラスチックパイプなどで連結され、間接活線工法に好適なように、絶縁性が確保されている。
【００５２】
図６又は図７を参照すると、把持工具７２は、開閉する一対の湾曲した把持腕７ａ・７ｂで構成している。そして、一方の把持腕７ａは、基端部が固定された固定腕であり、他方の把持腕７ｂは、一方の把持腕７ａの基端部に設けた回動軸７ｃを中心に回動する可動腕となっている。
【００５３】
図６又は図７を参照すると、作動棒７３は、操作棒７１に沿って保持されている。作動棒７３の先端部は、他方の把持腕７ｂに回動可能に連結している。そして、作動棒７３の手許部に設けた操作レバー７４を操作すると、一方の把持腕７ａに対して、他方の把持腕７ｂを開閉できる。
【００５４】
図７を参照して、操作レバー７４を握って、操作レバー７４を操作棒７１に近づけると、一方の把持腕７ａに対して、他方の把持腕７ｂを閉じることができる。操作レバー７４を解放すると、操作レバー７４に連結したばね（図示せず）の力で、一方の把持腕７ａに対して、他方の把持腕７ｂを開くことができる。図７は、一方の把持腕７ａに対して、他方の把持腕７ｂが最大に開いた状態を示している。
【００５５】
図７を参照して、一方の把持腕７ａは、先細り状の把持爪７１ａを遠心方向に突出している。把持爪７１ａは、把持面７０ａを形成している。把持面７０ａは、操作棒７１の軸中心と略平行に配置されている。同様に、他方の把持腕７ｂは、先細り状の把持爪７１ｂを遠心方向に突出している。把持爪７１ｂは、把持面７０ｂを形成している。把持面７０ｂは、把持面７０ａと所定の開角を設けて配置されている。図６又は図７を参照して、操作レバー７４を握ると、把持面７０ｂを把持面７０ａに近づけることができる。
【００５６】
（アダプタ本体の構成）
次に、実施形態による工具１０の説明に戻り、説明を続ける。図１又は図２及び図４を参照すると、アダプタ本体１は、一方の湾曲した把持腕７ａに取り付けことができる。図４を参照すると、アダプタ本体１は、凹部１１ｈを底面に開口している。凹部１１ｈには、把持腕７ａから遠心方向に突出する把持爪７１ａを挿入できる（図７参照）。この場合、図４を参照して、鍔片１１ｆと把持腕７ａの一方の側面が対向した状態から、アダプタ本体１を把持腕７ａに向かって移動し、凹部１１ｈに連通した切り欠きに把持爪７１ａを挿通した後に、凹部１１ｈの一部を構成する鍔部１２２が把持腕７ａに係止できるように、アダプタ本体１を押し下げることが好ましいしい。これにより、把持腕７ａの側面側から、アダプタ本体１を把持爪７１ａに取り付けことができる。
【００５７】
又、図４を参照すると、アダプタ本体１は、把持腕７ａと同形状の湾曲した鍔片１１ｆを基端部側に突出している。鍔片１１ｆは、把持腕７ａの一方の側面に当接できる。鍔片１１ｆは、止めねじ４ｓを固定するための一組の雌ねじ穴１２ｓ・１２ｓを設けている（図２参照）。更に、鍔片１１ｆは、円弧体３の外径面と所定の間隙を設けた円弧面１２１を一方の板厚面に形成している。
【００５８】
図１又は図３及び図５を参照すると、アダプタ本体２は、他方の湾曲した把持腕７ｂに取り付けことができる。図５を参照すると、アダプタ本体２は、凹部２１ｈを底面に開口している。凹部２１ｈには、把持腕７ｂから遠心方向に突出する把持爪７１ｂを挿入できる（図７参照）。この場合、図５を参照して、鍔片２１ｆと把持腕７ｂの一方の側面が対向した状態から、アダプタ本体２を把持腕７ｂに向かって移動し、凹部２１ｈに連通した切り欠きに把持爪７１ｂを挿通した後に、凹部２１ｈの一部を構成する鍔部２２２が把持腕７ｂに係止できるように、アダプタ本体２を押し下げることが好ましい。これにより、把持腕７ｂの側面側から、アダプタ本体２を把持爪７１ｂに取り付けことができる。
【００５９】
又、図５を参照すると、アダプタ本体２は、把持腕７ｂと同形状の湾曲した鍔片２１ｆを基端部側に突出している。鍔片２１ｆは、把持腕７ｂの一方の側面に当接できる。鍔片２１ｆは、止めねじ４ｓを固定するための一組の雌ねじ穴２２ｓ・２２ｓを設けている（図３参照）。更に、鍔片２１ｆは、円弧体３の外径面と所定の間隙を設けた円弧面２２１を一方の板厚面に形成している。
【００６０】
（円弧体の構成）
図２又は図３を参照すると、は、仮想の中心に向けて、外径から内径に貫通するボール保持穴を開口している。このボール保持穴は、その内径側がボール３ｂの直径より縮径しており、ボール３ｂを内径側に脱落することなく保持できる。円弧体３の外径面には、円弧状のカバー３ｃを固定しており、ボール３ｂを外径側に脱落することなく保持できる。
【００６１】
図１を参照すると、一対一組の円弧体３・３は、それらの外径面が一対の把持腕７ａ・７ｂの内壁と所定の間隙を設けて配置されている。これにより、一対一組の円弧体３・３の間に導入される電線Ｗｅの直径に拡張性を付与できる。
【００６２】
［間接活線工事用工具の作用］
次に、実施形態による工具１０の操作方法を説明しながら、工具１０の作用及び効果を説明する。図８は、前記実施形態による間接活線工事用工具の構成を示す正面図であり、一対の把持腕に一組のアダプタを取り付けた状態で、一対の把持腕を最も開いた状態図である。
【００６３】
図１又は図２を参照して、把持爪７１ａをアダプタ１１の凹部１１ｈに挿入し、固定ねじ１ｓを一方の方向に回転し、予め、アダプタ１１を一方の把持腕７ａに取り付けておく。又、図１又は図３を参照して、把持爪７２ａをアダプタ１２の凹部２１ｈに挿入し、固定ねじ２ｓを一方の方向に回転し、予め、アダプタ１２を他方の把持腕７ｂに取り付けておく。
【００６４】
次に、操作レバー７４を握って、操作レバー７４を操作棒７１に近づけ（図５参照）、一対の把持腕７ａ・７ｂを最も開いた状態に開角しておく（図８参照）。図８に示した状態を維持して、一組のアダプタ１１・１２を電線Ｗｅに近づけると、隣接する一組の円弧体３・３が電線Ｗｅの直径を超えて離間しているので、一対一組のボール３ｂ・３ｂの間に、電線Ｗｅをその外周方向から導入できる（図８参照）。
【００６５】
次に、操作レバー７４を解放すると（図５参照）、一対一組のボール３ｂ・３ｂが電線Ｗｅの中心に向かって進出し、電線Ｗｅをその外周から略均等に押圧できる（図１参照）。次に、操作棒７１を操作して、電線Ｗｅの延びる方向に沿って、工具１０を移動することで、四つのボール３ｂを電線Ｗｅの外周に転動させながら、歪曲した電線Ｗｅの曲率を一組のアダプタ１１・１２で矯正できる。
【００６６】
このように、実施形態による工具１０は、一組のアダプタ１１・１２を絶縁操作棒７０の先端部に設けた一対の湾曲した把持腕７ａ・７ｂに取り付け、一対の把持腕７ａ・７ｂを最大に開いたときは、一組のアダプタ１１・１２の間に電線Ｗｅをその外周方向から導入でき、一対の把持腕７ａ・７ｂを所定の開角に閉じたときは、内部に導入された電線Ｗｅをその外周方向から略均等に押圧する複数のボール３ｂをこれらのアダプタ１１・１２に設け、複数のボール３ｂを転動させながら、絶縁操作棒７０を電線Ｗｅに沿って移動することで、電線Ｗｅを容易に矯正できる。
【００６７】
又、実施形態による工具１０は、一対の円弧体３・３の外径面が一対の把持腕７ａ・７ｂの内壁と所定の間隙を設けて配置されているので、一対一組の円弧体３・３の間に導入される電線Ｗｅの直径に拡張性を付与できる。
【００６８】
本発明による間接活線工事用工具は、次のような効果が奏される。
（１）電線を複数の円弧体の間に導入すると、複数のボールが電線を略均等に押圧した状態で、電線を矯正できる。
（２）いずれの方向に延びる電線に対しても矯正できる。
（３）従来技術による電線ベンダーと比べて、容易に電線を矯正できる。
（４）矯正対象の電線の直径の適用範囲が広く、電線を確実に把持できる。
【００６９】
本発明に適用される電線は、縁線に限定されることなく、架空配電線から引き出される引出線にも適用できる。又、本発明は、絶縁操作棒などを用いて、無停電状態の高圧配電線を間接的に活線工事できる間接活線工事用工具を開示したが、本発明の工具は、間接活線工事用に限定されることなく、他の分野でも応用されることが期待される。
【符号の説明】
【００７０】
１・２  一組のアダプタ本体
１ｓ・２ｓ  固定ねじ（係止手段）
３  円弧体
３ｂ  ボール
４ａ・４ｂ  一対のクランクアーム
５  引張りコイルばね（付勢手段）
７ａ・７ｂ  一対の把持腕
１０  工具（間接活線工事用工具）
１１・１２  アダプタ
１１ｈ・２１ｈ  凹部
７０  絶縁操作棒
７０ａ・７０ｂ  把持面
７１ａ・７１ｂ  把持爪
Ｗｅ  電線（縁電）
【図１】
2015042037.tif 000003
【図２】
2015042037.tif 000004
【図３】
2015042037.tif 000005
【図４】
2015042037.tif 000006
【図５】
2015042037.tif 000007
【図６】
2015042037.tif 000008
【図７】
2015042037.tif 000009
【図８】
2015042037.tif 000010
【図９】
2015042037.tif 000011
【図１０】
2015042037.tif 000012